(57)【特許請求の範囲】
【請求項１】
レンズ駆動用のボディ内モータを内蔵したカメラ本体に対して、レンズ駆動用のレンズ内モータを内蔵した第１の交換レンズと、レンズ駆動用のレンズ内モータを内蔵しない第２の交換レンズとを選択して着脱手段により着脱可能で、上記第１の交換レンズの上記レンズ内モータに対して上記カメラ本体側の電力供給手段により電力供給を行い、上記第２の交換レンズのレンズ駆動機構に対して上記ボディ内モータから駆動力を伝達するレンズ交換式のカメラシステムにおいて、
上記第２の交換レンズを上記カメラ本体に取り付けたときに、上記カメラ本体側の基準電位点に対して上記第２の交換レンズ側の基準電位点を、上記着脱手段を経由して接続させる第１のグラウンド経路と、上記電力供給手段を経由して接続させる第２のグラウンド経路を形成することを特徴とするカメラシステム。
【請求項２】
上記電力供給手段は、電源線に接続する第１の接点と、上記カメラ本体側の上記基準電位点から延びるグラウンド線に接続する第２の接点とを有し、
上記第１の交換レンズは、上記カメラ本体に取り付けたときに上記第１の接点に接触して導通する電源接片と、上記第２の接点に接触して導通するグラウンド接片を有し、
上記第２の交換レンズは、上記カメラ本体に取り付けたときに上記第２の接点に接触して導通するグラウンド接片を有し、上記第１の接点とは導通しない請求項１記載のカメラシステム。
【請求項３】
レンズ駆動用のボディ内モータを備えたカメラ本体のレンズ取付部に対して着脱可能で、上記ボディ内モータの駆動力をレンズ駆動機構に伝達する動力伝達部を有するカメラの交換レンズにおいて、
上記レンズ取付部に設けた第１のグラウンド接点に対して接触する第１のグラウンド接続部と、上記カメラ本体内の電力供給用のグラウンド線に導通する第２のグラウンド接点に対して接触する第２のグラウンド接続部とを有し、上記第１のグラウンド接続部と上記第２のグラウンド接続部を通じて上記カメラ本体側の基準電位点に接続することを特徴とするカメラの交換レンズ。
【請求項４】
上記レンズ取付部は、上記カメラ本体に形成したボディ開口を囲む環状をなすボディ側マウント環を有し、上記第２のグラウンド接点は上記ボディ開口の内側に配置されており、
上記第１のグラウンド接続部は、上記ボディ側マウント環に対して導通状態で当接するレンズ側マウント環からなり、上記第２のグラウンド接続部は、上記レンズ側マウント環と上記第２のグラウンド接点を導通させる請求項３記載のカメラの交換レンズ。
【請求項５】
上記レンズ側マウント環に取り付けられる補助部品を備え、該補助部品に上記第２のグラウンド接続部が設けられる請求項４記載のカメラの交換レンズ。
【請求項６】
電源線に接続する第１の接点と、基準電位点から延びるグラウンド線に接続する第２の接点とを有し該第１と第２の接点を介して電力供給を行うことが可能なカメラ本体に対して着脱可能な交換レンズに取り付けられる補助部品であって、
上記交換レンズを上記カメラ本体に取り付けたときに、上記第２の接点と上記交換レンズ側の基準電位点を導通させるグラウンド接続部を有し、かつ上記第１の接点を上記交換レンズに対して非導通とさせることを特徴とするカメラの交換レンズの補助部品。
【請求項７】
非導電性材料からなる保持部に導電性材料からなる上記グラウンド接続部をインサート成形し、上記交換レンズの端部に取り付け可能な環状の本体部に対して上記保持部を固定して構成される請求項６記載のカメラの交換レンズの補助部品。
【発明の詳細な説明】
【技術分野】
【０００１】
本発明は、レンズ交換式のカメラシステム、カメラの交換レンズ、及びカメラの交換レンズに取り付けられる補助部品に関する。
【背景技術】
【０００２】
カメラ本体に対して交換レンズ（レンズ鏡筒）を着脱可能なレンズ交換式のカメラでは、交換レンズをカメラ本体に取り付けた際に、交換レンズ側の電気回路をカメラ本体側のグラウンド（基準電位点）にグラウンディング（接地）させる必要がある。その際に回路のグラウンドを強化することで、高速信号処理における波形なまりの改善や、ＥＭＣ（電磁両立性）レベルの向上などの効果が得られる。例えば、レンズ交換式のカメラシステムにおいては、波形なまりの改善によって通信速度を高速化することで、レンズ情報の取得間隔を短くしたり、コマンド発行間隔を短くしたりして、よりきめ細かな撮影制御が可能になる。また、ＥＭＣレベルの向上により、カメラから外部への放射ノイズの低減や、静電気などの外部からのノイズに対する耐性向上を実現できる。
【０００３】
レンズ交換式のカメラでは、交換レンズをカメラ本体に機械的に着脱させるマウント部分に導通する接点を設けてグラウンド経路を構成することが一般的である。近年は、フォーカシングやズーミングを行うためのレンズ駆動用のモータ（レンズ内モータ）を内蔵した交換レンズが多用されており、このタイプの交換レンズでは、マウント部分のグラウンド経路に加えて、レンズ内モータへ電力を供給する電力供給部のグラウンド線によってもグラウンド経路が確保される。一方、レンズ内モータを搭載せずにカメラ本体内のモータ（ボディ内モータ）でレンズ駆動を行うタイプの交換レンズで、既存のグラウンド経路を用いつつグラウンド強化を図ろうとした場合、回路基板におけるグラウンドパターンの改変や、交換レンズ内の機械部品を新規にグラウンドに接続するなどの大掛かりな変更作業が必要となるため、レンズ内モータ非搭載の既存の交換レンズに対してグラウンド強化を行うことは作業性やコストの面から困難であった。
【０００４】
特許文献１には、レンズユニットとカメラボディの間で十分な通信速度を得るために、レンズユニット側の電気接点の構造を簡略化し、部品点数の現象と省スペース化を図りつつインピーダンス容量を低下させる構成が提案されている。この構成は、撮像素子を実装した実装基板をレンズユニット側に備えた新しい形態のカメラシステムに適用したものであり、カメラ本体側に撮像素子を備えている既存のカメラシステムでの交換レンズのグラウンド強化に対応したものではない。
【先行技術文献】
【特許文献】
【０００５】
【特許文献１】特開２００６-２６７６９７号公報
【発明の概要】
【発明が解決しようとする課題】
【０００６】
本発明は以上の問題点に鑑みてなされたものであり、カメラ本体のボディ内モータによって交換レンズのレンズ駆動を行うことが可能なカメラシステムで、交換レンズのグラウンド強化を簡単かつ安価に実現することを目的とする。本発明はまた、カメラ本体のボディ内モータによってレンズ駆動を行う交換レンズにおけるグラウンド強化を簡単かつ安価に実現することを目的とする。本発明はさらに、カメラの交換レンズにおけるグラウンド強化に寄与する補助部品を提供することを目的とする。
【課題を解決するための手段】
【０００７】
本発明は、レンズ駆動用のボディ内モータを内蔵したカメラ本体に対して、レンズ駆動用のレンズ内モータを内蔵した第１の交換レンズと、レンズ駆動用のレンズ内モータを内蔵しない第２の交換レンズとを選択して着脱手段により着脱可能で、第１の交換レンズのレンズ内モータに対してカメラ本体側の電力供給手段により電力供給を行い、第２の交換レンズのレンズ駆動機構に対してボディ内モータから駆動力を伝達するレンズ交換式のカメラシステムにおいて、第２の交換レンズをカメラ本体に取り付けたときに、着脱手段を経由してカメラ本体側の基準電位点に対して第２の交換レンズ側の基準電位点を接続させる第１のグラウンド経路と、電力供給手段を経由してカメラ本体側の基準電位点に対して第２の交換レンズ側の基準電位点を接続させる第２のグラウンド経路を形成することを特徴としている。
【０００８】
次のように第２のグラウンド経路を構成することが好ましい。カメラ本体に設ける電力供給手段は、電源線に接続する第１の接点と、カメラ本体側の基準電位点から延びるグラウンド線に接続する第２の接点とを有する。第１の交換レンズは、カメラ本体に取り付けたときに第１の接点に接触して導通する電源接片と、第２の接点に接触して導通するグラウンド接片を有する。第２の交換レンズは、カメラ本体に取り付けたときに第２の接点に接触して導通するグラウンド接片を有する一方で、第１の接点とは導通しない。
【０００９】
本発明はまた、レンズ駆動用のボディ内モータを備えたカメラ本体のレンズ取付部に対して着脱可能で、ボディ内モータの駆動力をレンズ駆動機構に伝達する動力伝達部を有するカメラの交換レンズにおいて、レンズ取付部に設けた第１のグラウンド接点に対して接触する第１のグラウンド接続部と、カメラ本体内の電力供給用のグラウンド線に導通する第２のグラウンド接点に対して接触する第２のグラウンド接続部とを有し、第１のグラウンド接続部と第２のグラウンド接続部を通じてカメラ本体側の基準電位点に接続することを特徴としている。
【００１０】
好ましい形態として、カメラ本体におけるレンズ取付部はボディ開口を囲む環状をなすボディ側マウント環を有し、第２のグラウンド接点はボディ開口の内側に配置されており、交換レンズにおける第１のグラウンド接続部は、ボディ側マウント環に対して導通状態で当接するレンズ側マウント環からなり、第２のグラウンド接続部は、レンズ側マウント環と第２のグラウンド接点を導通させるとよい。
【００１１】
第２のグラウンド接続部は、レンズ側マウント環に取り付けられる補助部品に設けられることが好ましい。
【００１２】
本発明はまた、カメラ本体に対して着脱可能な交換レンズに取り付けられる補助部品に関する。前提として、カメラ本体は、電源線に接続する第１の接点と、基準電位点から延びるグラウンド線に接続する第２の接点とを有し該第１と第２の接点を介して電力供給を行うことが可能である。補助部品は、交換レンズをカメラ本体に取り付けたときに、第２の接点と交換レンズ側の基準電位点を導通させるグラウンド接続部を有し、かつ第１の接点を交換レンズに対して非導通とさせる。
【００１３】
補助部品は任意の形態で構成することができるが、一例として、非導電性材料からなる保持部に導電性材料からなるグラウンド接続部をインサート成形し、交換レンズの端部に取り付け可能な環状の本体部に対して保持部を固定して補助部品を構成するとよい。
【発明の効果】
【００１４】
以上の本発明のカメラシステム、カメラの交換レンズ及びその補助部品によると、交換レンズにおけるレンズ駆動形態を問わず、カメラ本体に対して交換レンズを取り付けた状態で、カメラ本体における電力供給手段を利用して簡単かつ安価に交換レンズのグラウンド強化を実現ことができる。
【図面の簡単な説明】
【００１５】
【図１】レンズ交換式カメラのカメラ本体の斜視図である。
【図２】図１のカメラ本体に着脱可能な、レンズ駆動用のレンズ内モータを備えた交換レンズをマウント側から見た斜視図である。
【図３】図２の交換レンズをマウント側から見た図である。
【図４】図１のカメラ本体に着脱可能な、レンズ駆動用のレンズ内モータを非内蔵とした交換レンズをマウント側から見た図である。
【図５】レンズ駆動用のレンズ内モータを非内蔵とした交換レンズで、本発明を適用したグラウンド強化用の保護環を取り付けた状態をマウント側から見た図である。
【図６】図２及び図３のモータ内蔵タイプの交換レンズをカメラ本体に取り付けたときのマウント周辺構造の一部を拡大した断面図である。
【図７】図４のモータ非内蔵タイプの交換レンズをカメラ本体に取り付けたときのマウント周辺構造の一部を拡大した断面図である。
【図８】図５のモータ非内蔵タイプの交換レンズをカメラ本体に取り付けたときのマウント周辺構造の一部を拡大した断面図である。
【図９】レンズ交換式カメラを構成する電気部品の一部を概念的に示したブロック図である。
【図１０】レンズ側接片の形状を異ならせた第１の変形例の交換レンズにおける着脱部の一部分を示す斜視図である。
【図１１】第１の変形例のレンズ側接片を正面視した図である。
【図１２】第１の変形例のレンズ側接片に対してボディ側接点ピンを接触させた状態を図１１のXII−XII矢線に沿って示した断面図である。
【図１３】レンズ側接片の形状を異ならせた第２の変形例の交換レンズにおける着脱部の一部分を示す斜視図である。
【図１４】第２の変形例のレンズ側接片を正面視した図である。
【図１５】第２の変形例のレンズ側接片に対してボディ側接点ピンを接触させた状態を図１４のXV−XV矢線に沿って示した断面図である。
【発明を実施するための形態】
【００１６】
図１にレンズ交換式カメラシステム（以下、単にカメラと呼ぶ）のカメラ本体１０を示す。以下の説明では、カメラの撮影光学系を被写体に向けたときの被写体側を前方とし、その反対方向（撮影光学系における像面側）を後方とする。カメラ本体１０の筐体１１内には撮像素子ＩＳ（図９）が設けられており、撮像素子ＩＳの前方にレンズ取付部１２が設けられている。レンズ取付部１２は、筐体１１に形成した円形状のボディ開口１３の周縁に環状のボディ側マウント環（着脱手段、第１のグラウンド接点）１４を有している。ボディ開口１３内には、ボディ側マウント環１４の一部をなす複数（この実施形態では３つ）の係合爪１５が周方向に所定間隔で設けられている。なお本発明は、撮像素子ＩＳとレンズ取付部１２の間にファインダ光学系への導光用のミラーを有するレフレックスタイプのカメラと、このようなミラーを有さないタイプのカメラとを問わずに適用が可能である。
【００１７】
図９に概念的に示すように、カメラ本体１０の筐体１１内には、カメラ全体の制御を司るメイン制御回路を備えたボディ側回路基板２０が設けられている。ボディ側回路基板２０上のメイン制御回路は、筺体１１内に挿脱されるバッテリ（電源）から各部への電力供給を制御する電源回路２１や、レンズ駆動用のボディ内モータＭ１の駆動制御を行うモータドライバ２２を含んでいる。また、筺体１１内には、カメラ本体１０の電位の基準点（基準電位点）となるボディ側グラウンド２３、２４が配されている。
【００１８】
ボディ側マウント環１４の前面は平滑なマウント面１４ａとなっており、マウント面１４ａ上には、ボディ側回路基板２０上のメイン制御回路に接続する複数の通信接点１６と、各々１つのロックピン１７とボディ側カプラー１８とが設けられている。ロックピン１７はマウント面１４ａに対して突没する動作が可能であり、マウント面１４ａから突出する方向に付勢され、筐体１１に設けたロック解除ボタン（図示略）を操作することでボディ側マウント環１４内に収納させることができる。ボディ側カプラー１８はボディ内モータＭ１と機械的に接続されており、ボディ内モータＭ１の駆動力によって回転される。
【００１９】
カメラ本体１０はさらに、ボディ側マウント環１４の内側のボディ開口１３内に、互いに隣接する配置で電源ピン（第１の接点）２５とグラウンドピン（第２の接点、第２のグラウンド接点）２６を備えている。電源ピン２５は電源線２７（図６ないし図９）を介してカメラ本体１０内の電源回路２１に接続している。グラウンドピン２６は電源回路２１に含まれるボディ側グラウンド２４から延びるグラウンド線２８の端部に接続している。電源ピン２５とグラウンドピン２６の先端は半球状の面として形成されている。
【００２０】
図２ないし図５は、カメラ本体１０のレンズ取付部１２に対して着脱可能な交換レンズを示している。図２及び図３に示す交換レンズ３０Ａ、図４に示す交換レンズ３０Ｂ、図５に示す交換レンズ３０Ｃはいずれも、撮影光学系を構成する一部のレンズ（レンズ群）を光軸方向に移動させることで合焦動作を行うフォーカシング機構（レンズ駆動機構）を備えている。交換レンズ３０Ａはフォーカシング機構の駆動源となるレンズ内モータＭ２（図９）を内蔵している。交換レンズ３０Ｂと交換レンズ３０Ｃはそれぞれフォーカシング機構の駆動源となるモータを内蔵しておらず、カメラ本体１０内のボディ内モータＭ１を駆動源としてレンズ駆動を行う。図９では、交換レンズ３０Ａに固有の要素（レンズ内モータＭ２、モータドライバ５５、レンズ側グラウンド５６、電源回路５７、レンズＣＰＵ５８、電源線６０、グラウンド線６１、電源接片６２、グラウンド接片６３）を破線で示し、交換レンズ３０Ａが備えておらず交換レンズ３０Ｂと交換レンズ３０Ｃが備える要素（レンズ側カプラー４７）を一点鎖線で示し、交換レンズ３０Ｃに固有の要素（グラウンド接片６５）を二点鎖線で示している。
【００２１】
まず、それぞれの交換レンズ３０Ａ、３０Ｂ及び３０Ｃに共通する構造について説明する。この共通部分についての説明では、符号を分けずに交換レンズ３０と総称する。交換レンズ３０は、撮影光学系を内部に収容した円筒状の鏡筒部４０の後端に着脱部４１を有している。着脱部４１は、レンズ側マウント環（着脱手段、第１のグラウンド接続部）４２と、その内側に位置する円筒部（着脱手段）４３を有している。円筒部４３はレンズ側マウント環４２と一体的に形成されている。レンズ側マウント環４２の後面は平滑なマウント面４２ａとなっており、マウント面４２ａ上に複数の通信接点４４と１つのロック穴４５が設けられている。円筒部４３には複数（３つ）の係合爪４６が周方向に所定間隔で設けられている。
【００２２】
カメラ本体１０に交換レンズ３０を取り付ける際は、交換レンズ３０を所定の回転方向位置にしてボディ開口１３内に円筒部４３を挿入する。この所定の回転方向位置では、交換レンズ３０側の複数の係合爪４６とカメラ本体１０側の複数の係合爪１５が互いに干渉せずにボディ開口１３内へ円筒部４３を挿入することができる。レンズ側マウント環４２のマウント面４２ａがボディ側マウント環１４のマウント面１４ａに当接するまで挿入させてからカメラ本体１０に対して交換レンズ３０を回転させると、複数の係合爪４６が複数の係合爪１５の背後に入り込んで前方への離脱が規制され、さらにロック穴４５にロックピン１７が係合して回転が規制され、交換レンズ３０が固定される。ロック解除ボタンを操作してロックピン１７をボディ側マウント環１４内に収納することで、交換レンズ３０の取り外しが可能となる。
【００２３】
図９に概念的に示すように、交換レンズ３０の鏡筒部４０内にはレンズ側回路基板５０が設けられている。レンズ側回路基板５０にはレンズ側制御回路が配設されており、交換レンズ３０をカメラ本体１０に取り付けた状態では、複数の通信接点４４がそれぞれ対応する通信接点１６に接触してカメラ本体１０内のメイン制御回路と交換レンズ３０内のレンズ側制御回路の間で信号の通信経路が形成される。この通信経路を通じて、交換レンズ３０からカメラ本体１０へ撮影光学系に関するデータを送ったり、カメラ本体１０から交換レンズ３０へ制御信号を送ったりすることができる。
【００２４】
鏡筒部４０内には、交換レンズ３０側の電位の基準点（基準電位点）となるレンズ側グラウンド５１、５６が配されている。図６ないし図８に示すように、レンズ側グラウンド５１とレンズ側マウント環４２の間にグラウンド接続バネ５２が挿入されている。グラウンド接続バネ５２は圧縮コイルバネであり、一端部がレンズ側グラウンド５１に接触し、他端部がレンズ側マウント環４２に接触している。レンズ側マウント環４２とグラウンド接続バネ５２は金属で形成されて導電性を有しており、さらに交換レンズ３０をカメラ本体１０に取り付けた状態でレンズ側マウント環４２が当接するボディ側マウント環１４も金属で形成されて導電性を有している。よって、交換レンズ３０とカメラ本体１０の間に、レンズ側グラウンド５１、グラウンド接続バネ５２、レンズ側マウント環４２、ボディ側マウント環１４、ボディ側グラウンド２３の順で導通するグラウンド経路（第１のグラウンド経路）が構成されている。
【００２５】
交換レンズ３０の後端部には保護環（補助部品）７０が設けられる。保護環７０は、円筒部４３の後端を覆う環状をなし、ビス等を用いてレンズ側マウント環４２に対して固定される。保護環７０は、交換レンズ３０の後端部分の物理的保護、撮影光学系の最も後方のレンズを保持するレンズ枠の保持、この最後方レンズの周囲の遮光、等の機能を有している。保護環７０には絞り駆動棹７１を突出させる開口が形成されている。絞り駆動棹７１は鏡筒部４０の周方向への移動によって交換レンズ３０の撮影光学系内に配した絞りの大きさを変化させる動力伝達部であり、交換レンズ３０をカメラ本体１０に取り付けたときにカメラ本体１０側の絞り連動突起（図示略）が絞り駆動棹７１に当接して絞り値のコントロールが可能になる。
【００２６】
以上の共通構造を有する交換レンズ３０のうち、図２及び図３に示す交換レンズ３０Ａは、鏡筒部４０内にレンズ内モータＭ２（図９）を内蔵している。図９に示すように、レンズ側回路基板５０上の電源回路５７に電源線６０が接続し、電源回路５７に含まれるレンズ側グラウンド５６にグラウンド線６１が接続している。電源回路５７はレンズ側回路基板５０上のレンズＣＰＵ５８とモータドライバ５５に接続して電力供給を行う。モータドライバ５５に対してレンズＣＰＵ５８から制御信号が入力され、モータドライバ５５を介してレンズ内モータＭ２が駆動制御される。図６に示すように、電源線６０の端部に電源接片６２が設けられ、グラウンド線６１の端部にグラウンド接片６３が設けられる。電源接片６２とグラウンド接片６３は、交換レンズ３０Ａにおける保護環７０（保護環７０Ａとする）の一部を構成する接片ホルダ７２に支持されている。電源接片６２とグラウンド接片６３は金属からなり導電性を有しており、接片ホルダ７２はプラスチック等の非導電性材料で形成されている。接片ホルダ７２は保護環７０Ａの環状をなす本体部に対してビス等で固定され、この状態で電源接片６２とグラウンド接片６３は保護環７０Ａの後端面上に露出する。電源接片６２とグラウンド接片６３の露出部分は、保護環７０Ａの後端面と概ね面一な平面となっている。
【００２７】
図６に示すように、交換レンズ３０Ａをカメラ本体１０に取り付けたときに、電源接片６２が電源ピン２５に接触し、グラウンド接片６３がグラウンドピン２６に接触する。電源接片６２と電源ピン２５の接触により、カメラ本体１０側の電源線２７と交換レンズ３０Ａ側の電源線６０が導通する。また、グラウンド接片６３とグラウンドピン２６の接触によりカメラ本体１０側のグラウンド線２８と交換レンズ３０Ａ側のグラウンド線６１が導通し、レンズ側グラウンド５６とボディ側グラウンド２４の間に、先に述べた第１のグラウンド経路とは別に、グラウンド線６１（グラウンド接片６３）とグラウンド線２８（グラウンドピン２６）を経由する第２のグラウンド経路が形成される。そして、電源回路２１、電源線２７及びグラウンド線２８を含むカメラ本体１０側の電力供給部から、電源線６０とグラウンド線６１と電源回路５７を通してレンズＣＰＵ５８とモータドライバ５５に電力供給が行われ、レンズ内モータＭ２が駆動可能になる。
【００２８】
図４に示す交換レンズ３０Ｂは、交換レンズ３０Ａとは異なりレンズ駆動用のモータを内蔵しておらず、交換レンズ３０Ａにおける電源接片６２やグラウンド接片６３を備えないタイプの保護環７０（保護環７０Ｂとする）が取り付けられている。交換レンズ３０Ｂをカメラ本体１０に取り付けた状態では、図７のようにカメラ本体１０側の電源ピン２５とグラウンドピン２６は保護環７０Ｂに対して接触しない。一方、レンズ側マウント環４２のマウント面４２ａにはレンズ側カプラー（動力伝達部）４７が設けられており、交換レンズ３０Ｂをカメラ本体１０に取り付けるとボディ側カプラー１８がレンズ側カプラー４７に係合する。この係合状態でカメラ本体１０内のボディ内モータＭ１（図１、図９）を駆動させると、ボディ側カプラー１８を介してレンズ側カプラー４７が回転され、この回転動作が交換レンズ３０Ｂ内のフォーカシング機構に伝達されてレンズが動作する。
【００２９】
このようにカメラ本体１０は、ボディ内モータＭ１と電力供給手段（電源回路２１、ボディ側グラウンド２４、電源ピン２５、グラウンドピン２６、グラウンド線２８、電源線２７）の両方を備えることによって、交換レンズ３０Ａと交換レンズ３０Ｂのようなレンズ駆動方式の異なる（レンズ駆動用のモータの配置が異なる）交換レンズに対する互換性を有している。前述のように、交換レンズ３０Ａをカメラ本体１０に取り付けたときには、レンズ側グラウンド５１からグラウンド接続バネ５２、レンズ側マウント環４２、ボディ側マウント環１４を経由してボディ側グラウンド２３に至る第１のグラウンド経路に加えて、レンズ側グラウンド５６からグラウンド線６１（グラウンド接片６３）とグラウンド線２８（グラウンドピン２６）を経由してボディ側グラウンド２４に至る第２のグラウンド経路が形成される。一方、交換レンズ３０Ｂをカメラ本体１０に取り付けたときには、第１のグラウンド経路のみが形成される。
【００３０】
図５に示す交換レンズ３０Ｃは、レンズ駆動用モータを非内蔵とした交換レンズ３０Ｂを元にして簡易な変更（部品交換）でグラウンド強化を図ったものである。交換レンズ３０Ｃに設けられた保護環７０（保護環７０Ｃとする）には、グラウンド接片（第２のグラウンド接続部、グラウンド接続部）６５が設けられている。グラウンド接片６５は金属で形成されて導電性を有しており、プラスチック等の非導電性材料で形成された接片ホルダ（保持部）７５によって支持されている。グラウンド接片６５と接片ホルダ７５はインサート成形によって一体構造物として製造することができる。接片ホルダ７５は保護環７０Ｃの環状をなす本体部に対してビス等で固定され、さらに保護環７０Ｃの全体がレンズ側マウント環４２に対してビス等で固定される。グラウンド接片６５は、保護環７０Ｃの後端面に露出する露出接片６５ａと、レンズ側マウント環４２の内周面に接触する内部接片６５ｂとを有しており、レンズ側マウント環４２と導通する関係にある。露出接片６５ａは保護環７０Ｃの後端面と概ね面一な平面となっている。
【００３１】
図８に示すように、交換レンズ３０Ｃをカメラ本体１０に取り付けると、グラウンド接片６５の露出接片６５ａがカメラ本体１０側のグラウンドピン２６に接触し、レンズ側グラウンド５１とボディ側グラウンド２３を接続させる前述の第１のグラウンド経路に加えて、レンズ側マウント環４２からグラウンド接片６５とグラウンド線２８（グラウンドピン２６）を経由してボディ側グラウンド２４に接続する第２のグラウンド経路が形成される。これにより交換レンズ３０Ｃでは、カメラ本体１０側の基準電位点に対して２つの経路で接続して、交換レンズ３０Ｂに比べてグラウンド強化を実現することができる。その結果、高速信号処理における波形なまりの改善による撮影制御の高性能化、ＥＭＣ（電磁両立性）レベルの向上による放射ノイズ低減や外部ノイズへの耐性向上、といった効果を得ることができる。
【００３２】
保護環７０Ｃは、接片ホルダ７５を介してグラウンド接片６５が取り付けられている点以外は保護環７０Ｂと共通する構成を有しており、交換レンズ３０Ｂにおける保護環７０Ｂを保護環７０Ｃに付け替えるだけの簡単かつ安価な変更によって、グラウンド強化された交換レンズ３０Ｃを得ることができる。
【００３３】
交換レンズ３０Ｃをカメラ本体１０に取り付けた状態では、電源ピン２５は非導電性材料からなる接片ホルダ７５に当接して交換レンズ３０Ｃに対して非導通とされるため(図８参照)、カメラ本体１０の電源回路２１から交換レンズ３０Ｃ側に不要な電力供給が行われることはない。なお、電源ピン２５を交換レンズ３０Ｃ側に導通させない構成として、図８の形態と異なり、接片ホルダ７５の一部を電源ピン２５に対して非接触となる逃げ形状にしてもよい。
【００３４】
また、生産性や部品の精度の観点から、グラウンド接片６５を含む接片ホルダ７５を保護環７０Ｃの本体部と別部材として形成した上で該本体部に取り付けることが好ましいが、保護環７０Ｃの本体部に対してグラウンド接片６５を直接的に支持させる構成を排除するものではない。
【００３５】
図１０ないし図１５は、カメラ本体１０の電源ピン２５やグラウンドピン２６に対して当接する、交換レンズ３０Ａの保護環７０Ａ上の電源接片６２及びグラウンド接片６３や、交換レンズ３０Ｃの保護環７０Ｃ上のグラウンド接片６５の形状を異ならせた変形例を示す。図１０と図１３では保護環７０Ａ上の電源接片６２及びグラウンド接片６３を示しているが、図１０と図１３から電源接片６２を省いてグラウンド接片６３をグラウンド接片６５の露出接片６５ａに変更することで保護環７０Ｃに適用した形態となる。以下の変形例の説明では、電源接片６２、グラウンド接片６３及びグラウンド接片６５の露出接片６５ａをレンズ側接片８０やレンズ側接片８５と総称し、電源ピン２５とグラウンドピン２６をボディ側接点ピン９０と総称する。
【００３６】
図１０ないし図１２は第１の変形例に係るレンズ側接片８０を示している。レンズ側接片８０は、保護環７０Ａや保護環７０Ｃの周方向に向けて概ね一様なＶ字断面形状が連続する溝部８１を有している。溝部８１は、保護環７０Ａや保護環７０Ｃの後端面から離れて前方に向かうにつれて互いに接近する傾斜をなす一対の傾斜面を有している。図１２に示すように、先端部を半球状の面としたボディ側ピン９０は、溝部８１の一対の傾斜面に対してそれぞれ点接触する。この構成は、ボディ側ピン９０を１つの平面に対して１ヶ所で点接触させる構成に比して、部品の精度に多少のばらつきがあってもレンズ側接片８０とボディ側ピン９０を確実に当接させやすい。
【００３７】
図１３ないし図１５は第２の変形例に係るレンズ側接片８５を示している。レンズ側接片８０の中央には、前方に進むにつれて内径を小さくする円錐状凹部８６が形成されている。円錐状凹部８６は、保護環７０Ａや保護環７０Ｃの後端面に臨む開口部分（最も大径の部分）の内径サイズがボディ側ピン９０の外径サイズよりも大きく、円錐の母線方向の途中で内径サイズがボディ側ピン９０の外径サイズよりも小さくなる。よって、図１５に示すように円錐状凹部８６の内面に対してボディ側ピン９０の半球状の先端部付近が当接する。図１５はボディ側ピン９０の軸線に沿う断面で示しており、円錐状凹部８６に対するボディ側ピン９０の２ヶ所の当接部分が図示されているが、ボディ側ピン９０はこの２ヶ所を含む環状の領域で円錐状凹部８６に当接することができる。第１の変形例と同様に、ボディ側ピン９０を１つの平面に対して１ヶ所で点接触させる構成に比して、ボディ側ピン９０を確実にレンズ側接片８５に接触させやすくなっている。
【００３８】
以上、図示実施形態に基づいて本発明を説明したが、本発明はこの実施形態に限定されるものではない。例えば、図示実施形態のカメラシステムは、ボディ側マウント環１４とレンズ側マウント環４２をそれぞれ金属で形成したタイプであるが、カメラ本体側と交換レンズ側の互いのマウント部を非金属で形成した上で、このマウント部のマウント面以外の箇所で第１のグラウンド経路を構成したタイプであっても適用が可能である。
【００３９】
図示実施形態におけるレンズ駆動機構は、ボディ内モータＭ１やレンズ内モータＭ２の駆動力によって合焦動作を行うフォーカシング機構であるが、本発明の適用対象となるレンズ駆動はフォーカシングに限定されるものではなく、撮影光学系の変倍動作を行う電動ズーム用のレンズ駆動などにも適用が可能である。
【符号の説明】
【００４０】
Ｍ１  ボディ内モータ
Ｍ２  レンズ内モータ
１０  カメラ本体
１１  筐体
１２  レンズ取付部
１３  ボディ開口
１４  ボディ側マウント環（着脱手段、第１のグラウンド接点）
１４ａ  マウント面
１５  係合爪
１６  通信接点
１７  ロックピン
１８  ボディ側カプラー
２０  ボディ側回路基板
２１  電源回路（電力供給手段）
２２  モータドライバ
２３  ボディ側グラウンド（基準電位点）
２４  ボディ側グラウンド（基準電位点）
２５  電源ピン（電力供給手段、第１の接点）
２６  グラウンドピン（電力供給手段、第２の接点、第２のグラウンド接点）
２７  電源線（電力供給手段）
２８  グラウンド線（電力供給手段）
３０  ３０Ａ  ３０Ｂ  ３０Ｃ  交換レンズ
４０  鏡筒部
４１  着脱部
４２  レンズ側マウント環（着脱手段、第１のグラウンド接続部）
４２ａ  マウント面
４３  円筒部（着脱手段）
４４  通信接点
４５  ロック穴
４６  係合爪
４７  レンズ側カプラー（動力伝達部）
５０  レンズ側回路基板
５１  レンズ側グラウンド（基準電位点）
５２  グラウンド接続バネ
５５  モータドライバ
５６  レンズ側グラウンド（基準電位点）
５７  電源回路
５８  レンズＣＰＵ
６０  電源線
６１  グラウンド線
６２  電源接片
６３  グラウンド接片
６５  グラウンド接片（第２のグラウンド接続部、グラウンド接続部）
６５ａ  露出接点
６５ｂ  内部接点
７０  ７０Ａ  ７０Ｂ  ７０Ｃ  保護環（補助部品）
７１  絞り駆動棹
７２  接片ホルダ
７５  接片ホルダ（保持部）
８０  レンズ側接片
８１  溝部
８５  レンズ側接片
８６  円錐状凹部
９０  ボディ側接点ピン
【図１】
0006464829.tif 000002
【図２】
0006464829.tif 000003
【図３】
0006464829.tif 000004
【図４】
0006464829.tif 000005
【図５】
0006464829.tif 000006
【図６】
0006464829.tif 000007
【図７】
0006464829.tif 000008
【図８】
0006464829.tif 000009
【図９】
0006464829.tif 000010
【図１０】
0006464829.tif 000011
【図１１】
0006464829.tif 000012
【図１２】
0006464829.tif 000013
【図１３】
0006464829.tif 000014
【図１４】
0006464829.tif 000015
【図１５】
0006464829.tif 000016